(57)【要約】【課題】端末装置によるハンドオーバ先基地局装置の検索期間を短縮したい。【解決手段】測定部１２０は、各チャネルに対する干渉電力を測定する。第１選択部１２２は、測定した干渉電力をもとに、干渉電力が小さい方のチャネルをチャネルの候補として選択する。第２選択部１２４は、選択したチャネルの候補の中から、干渉電力が大きい方のチャネルに近接したチャネルを周期的に選択する。制御部１０７は、周期的に選択したチャネルに、基地局装置に関する情報が含まれた制御信号を配置させた後、無線部１０１等から、配置した制御信号を報知する。無線部１０１等は、報知した制御信号を受信した端末装置との通信を実行する。【選択図】図６
2009188550.tif 000002
【特許請求の範囲】
【請求項１】
時間分割多重がなされた複数のチャネルの中から、チャネルを周期的に選択する制御部と、
前記制御部において周期的に選択したチャネルに、基地局装置に関する情報が含まれた制御信号を配置させた後、配置した制御信号を報知する報知部と、
前記報知部から報知した制御信号を受信した端末装置との通信を実行する通信部とを備え、
前記制御部は、
各チャネルに対する干渉電力を測定する測定部と、
前記測定部において測定した干渉電力をもとに、干渉電力が小さい方のチャネルをチャネルの候補として選択する第１選択部と、
前記第１選択部において選択したチャネルの候補の中から、干渉電力が大きい方のチャネルに近接したチャネルを周期的に選択する第２選択部と、
を備えることを特徴とする基地局装置。
【請求項２】
前記測定部において測定した干渉電力をもとに、複数のチャネルの中から、干渉電力が大きい方のチャネルに近接したチャネルを特定する第１特定部と、
前記第１特定部において特定したチャネルに配置された制御信号であって、かつ他の基地局装置から報知された制御信号をもとに、当該制御信号を報知した他の基地局装置を特定する第２特定部と、
前記第２特定部において特定した他の基地局装置に対して、制御信号の報知のために使用しているチャネルの明け渡しを要求する要求部とをさらに備え、
前記第２選択部は、前記要求部からの要求に応じてチャネルが明け渡された場合、当該チャネルを周期的に選択することを特徴とする請求項１に記載の基地局装置。
【請求項３】
複数の基地局装置と接続された制御装置であって、
時間分割多重がなされた複数のチャネルの中から、周期的なチャネルを各基地局装置に対して割り当てる割当部と、
前記割当部において割り当てた周期的なチャネルにて、基地局装置に関する情報が含まれた制御信号の報知を各基地局装置へ指示する指示部とを備え、
前記割当部は、近くに設置された基地局装置に対して、近接したチャネルを割り当てることを特徴とする制御装置。
【請求項４】
前記複数の基地局装置のそれぞれから、各基地局装置において測定された干渉電力であって、かつチャネル単位の干渉電力を受けつける受付部をさらに備え、
前記割当部は、前記受付部において受けつけた干渉電力をもとに、近くに設置された基地局装置を推定することを特徴とする請求項３に記載の制御装置。
【請求項５】
時間分割多重がなされた複数のチャネルのそれぞれに対する干渉電力を測定するステップと、
測定した干渉電力をもとに、干渉電力が小さい方のチャネルをチャネルの候補として選択するステップと、
選択したチャネルの候補の中から、干渉電力が大きい方のチャネルに近接したチャネルを周期的に選択するステップと、
周期的に選択したチャネルに、基地局装置に関する情報が含まれた制御信号を配置させた後、配置した制御信号を報知するステップと、
を備えることを特徴とする通信方法。
【請求項６】
接続された複数の基地局装置のそれぞれに対して、時間分割多重がなされた複数のチャネルの中から、周期的なチャネルを割り当てるステップと、
割り当てた周期的なチャネルにて、基地局装置に関する情報が含まれた制御信号の報知を各基地局装置へ指示するステップとを備え、
前記割り当てるステップは、近くに設置された基地局装置に対して、近接したチャネルを割り当てることを特徴とする通信方法。
【発明の詳細な説明】
【技術分野】
【０００１】
本発明は、無線通信技術に関し、特に端末装置との通信を確立するために必要とされる制御信号を割り当てる通信方法ならびにそれを利用した基地局装置および制御装置に関する。
【背景技術】
【０００２】
第二世代コードレス電話システムのような移動体通信システムでは、論理制御チャネル（以下、「ＬＣＣＨ」という）が規定されている。基地局装置（ＣＳ：Ｃｅｌｌ  Ｓｔａｔｉｏｎ）は、通信の単位となるタイムスロットを端末装置（ＰＳ：Ｐｅｒｓｏｎａｌ  Ｓｔａｔｉｏｎ）に割り当てることによって、通信を実行する。従来のＬＣＣＨは、群分け数が８の場合、報知用チャネル（以下、「ＢＣＣＨ」という）、８つの着信情報チャネル（以下、「ＰＣＨ」という）、３つのチャネル割当制御チャネル（以下、「ＳＣＣＨ」という）の合計１２のチャネルから構成される。基地局装置は、それぞれのチャネルを２０フレーム間隔で間欠的に送信している（例えば、非特許文献１参照）。また、ひとつのフレームは、８つのタイムスロットにて構成されている。
【非特許文献１】ＡＲＩＢ  ＳＴＡＮＤＡＲＤ  ＲＣＲ  ＳＴＤ−２８−１「第二世代コードレス電話システム標準規格」，４．１版，（１／２分冊）
【発明の開示】
【発明が解決しようとする課題】
【０００３】
上記のような移動体通信システムにおいて、基地局装置の通信容量を増加させるために、基地局装置は、直交周波数分割多重（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）を実行する。端末装置に対する着信がある場合、基地局装置は、着信がある端末装置を識別するための番号（以下、「端末番号」という）を含めながらＰＣＨを送信する。端末装置は、ＰＣＨを受信すると、自らの端末番号がＰＣＨに含まれているかを確認する。含まれている場合、端末装置は、基地局装置に対して、初期レンジングの要求を送信する。このような、ＰＣＨ、初期レンジングのための要求信号、ＢＣＣＨ等は、データと異なり、通信を確立するための制御情報に相当し、制御信号と総称される。端末装置は、基地局装置との通信を確立するために、制御信号を受信する。
【０００４】
一方、端末装置のモビリティーを向上させるために、通信品質が悪化したときにハンドオーバが起動される。その結果、端末装置は、通信を実行した基地局装置（以下、「ハンドオーバ元基地局装置」という）から、新たな基地局装置（以下、「ハンドオーバ先基地局装置」という）へ移動する。また、端末装置のモビリティーをさらに向上させるために、ハンドオーバに要する期間は、短い方が好ましい。なお、ハンドオーバ先基地局装置を見つけるために、一般的に端末装置は、ハンドオーバ元基地局装置との通信を実行しながら、制御信号を受信する。そのため、ハンドオーバに要する期間を短くするために、端末装置によるハンドオーバ先基地局装置の検索期間が短縮されるべきである。
【０００５】
本発明はこのような状況に鑑みてなされたものであり、端末装置によるハンドオーバ先基地局装置の検索期間を短縮するための技術を提供することを目的とする。
【課題を解決するための手段】
【０００６】
上記課題を解決するために、本発明のある態様の基地局装置は、時間分割多重がなされた複数のチャネルの中から、チャネルを周期的に選択する制御部と、制御部において周期的に選択したチャネルに、基地局装置に関する情報が含まれた制御信号を配置させた後、配置した制御信号を報知する報知部と、報知部から報知した制御信号を受信した端末装置との通信を実行する通信部とを備える。制御部は、各チャネルに対する干渉電力を測定する測定部と、測定部において測定した干渉電力をもとに、干渉電力が小さい方のチャネルをチャネルの候補として選択する第１選択部と、第１選択部において選択したチャネルの候補の中から、干渉電力が大きい方のチャネルに近接したチャネルを周期的に選択する第２選択部と、を備える。
【０００７】
「チャネル」とは、ふたつの無線装置間で通信を行うために設定される無線通信路のことである。例えば、チャネルは、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＯＦＤＭＡの場合に特定の周波数帯域に相当する。また、チャネルは、ＴＤＭＡ（Ｔｉｍｅ  Ｄｉｖｉｓｉｏｎ  Ｍｕｌｔｉｐｌｅ  Ａｃｃｅｓｓ）の場合に特定のタイムスロットまたはスロットに相当する。さらに、チャネルは、ＣＤＭＡ（Ｃｏｄｅ  Ｄｉｖｉｓｉｏｎ  Ｍｕｌｔｉｐｌｅ  Ａｃｃｅｓｓ）の場合に特定の符号系列に相当する。しかしながら、ここでは、チャネルとしてこれらを区別しないものとする。
【０００８】
本発明の別の態様は、制御装置である。この装置は、複数の基地局装置と接続された制御装置であって、時間分割多重がなされた複数のチャネルの中から、周期的なチャネルを各基地局装置に対して割り当てる割当部と、割当部において割り当てた周期的なチャネルにて、基地局装置に関する情報が含まれた制御信号の報知を各基地局装置へ指示する指示部とを備える。割当部は、近くに配置された基地局装置に対して、近接したチャネルを割り当てる。
【０００９】
「近くに配置された」とは、複数の基地局装置の中において、相対的に近くに配置されていることに相当し、端末装置がハンドオーバを実行可能な範囲に設置されていることであってもよい。
【００１０】
本発明のさらに別の態様は、通信方法である。この方法は、時間分割多重がなされた複数のチャネルのそれぞれに対する干渉電力を測定するステップと、測定した干渉電力をもとに、干渉電力が小さい方のチャネルをチャネルの候補として選択するステップと、選択したチャネルの候補の中から、干渉電力が大きい方のチャネルに近接したチャネルを周期的に選択するステップと、周期的に選択したチャネルに、基地局装置に関する情報が含まれた制御信号を配置させた後、配置した制御信号を報知するステップと、を備える。
【００１１】
本発明のさらに別の態様もまた、通信方法である。この方法は、接続された複数の基地局装置のそれぞれに対して、時間分割多重がなされた複数のチャネルの中から、周期的なチャネルを割り当てるステップと、割り当てた周期的なチャネルにて、基地局装置に関する情報が含まれた制御信号の報知を各基地局装置へ指示するステップとを備える。割り当てるステップは、近くに配置された基地局装置に対して、近接したチャネルを割り当てる。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、端末装置によるハンドオーバ先基地局装置の検索期間を短縮できる。
【発明を実施するための最良の形態】
【００１４】
本発明を具体的に説明する前に、概要を述べる。本発明の実施例は、制御局、基地局装置、端末装置によって構成される通信システムに関する。通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡが使用されている。制御信号が配置されるサブチャネル（以下、「制御チャネル」という）と、データ信号が配置されるサブチャネルとは、別々に規定されており、例えば、制御チャネルは、通信システムに対して規定されている周波数帯のうちの最低周波数のサブチャネルに配置される。
【００１５】
制御チャネルにおいて、複数の基地局装置に対する制御信号が時間分割多重されている。端末装置は、ハンドオーバ先基地局装置を見つけるために、制御チャネルを探索することによって、近くに設置された基地局装置からの制御信号を受信する。また、前述のごとく、ハンドオーバ処理の期間を短縮するために、このような探索の期間は短い方が好ましい。これに対応するために、本実施例に係る通信システムは、次の処理を実行する。基地局装置は、干渉電力を測定し、干渉電力が低いタイムスロットであって、かつ近接したタイムスロットでの干渉電力が大きいようなタイムスロットを特定し、特定したタイムスロットに制御信号を配置する。一般的に干渉電力の大きい基地局装置は、近傍に設置されていると考えられる。以上の処理の結果、近傍に設置された基地局装置からの制御信号は、互いに近接したタイムスロットに配置される。端末装置は、ハンドオーバ元の基地局装置からの制御信号が配置されたタイムスロットの近くを探索することによって、近傍に設置された基地局装置からの制御信号を見つけることができる。また、端末装置は、特定した基地局装置をハンドオーバ先基地局装置とする。
【００１６】
図１は、本発明の実施例に係る通信システム２０の構成を示す。通信システム２０は、基地局装置１と総称される第１基地局装置１ａ、第２基地局装置１ｂ、第Ｎ基地局装置１ｎ、端末装置２、ネットワーク５０、制御局５２を含む。
【００１７】
端末装置２は、所定の無線方式に対応した無線装置である。無線方式として、例えば、ＯＦＤＭＡが想定される。ＯＦＤＭＡでは、周波数軸上に複数のサブチャネルが多重化されており、各サブチャネルは、ＯＦＤＭ信号によって構成される。ここで、端末装置２は、通話機能を有するとともに、データ通信の機能も有する。データ通信とは、例えば、電子メールの送受信やワールド・ワイド・ウエブ（ＷＷＷ）の閲覧、ＶｏＩＰ（Ｖｏｉｃｅ  ｏｖｅｒ  Ｉｎｔｅｒｎｅｔ  Ｐｒｏｔｏｃｏｌ）の実行であり、これらの処理が端末装置２単独でなされてもよいし、図示しないＰＣとの接続にてなされてもよい。
【００１８】
基地局装置１は、一端に、無線通信にて端末装置２と接続し、他端に、有線通信にてネットワーク５０と接続する。また、基地局装置１は、ネットワーク５０を介して制御局５２に接続する。例えば、第１基地局装置１ａがハンドオーバ元基地局装置に相当し、第２基地局装置１ｂがハンドオーバ先基地局装置に相当する。端末装置２と第１基地局装置１ａとが通信中において、いずれか一方からハンドオーバの開始を通知する。端末装置２は、制御チャネルを監視することによって、ハンドオーバ先基地局装置として、第２基地局装置１ｂを特定する。なお、その際の処理は後述する。端末装置２と第１基地局装置１ａとは通信を切断し、端末装置２は、第２基地局装置１ｂへ接続を要求する。その後、端末装置２と第２基地局装置１ｂとが通信を開始する。
【００１９】
制御局５２は、ネットワーク５０を介して、基地局装置１と接続する。制御局５２は、基地局装置１を介して、端末装置２に対する位置登録を実行する。位置登録とは、端末装置２がどのページングエリアに含まれているかを管理することであるが、位置登録として公知の技術が使用されればよいので、ここでは説明を省略する。また、制御局５２は、図示しない交換機等より、端末装置２に対する着信通知を受けつける。制御局５２は、位置登録の結果をもとに、着信通知に対応する端末装置２がどのページングエリアに含まれるかを特定する。さらに、制御局５２は、ページングエリアに属する基地局装置１に対して、着信通知を送信する。ネットワーク５０は、制御局５２と接続するとともに、基地局装置１とも接続する。例えば、ネットワーク５０は、ＩＰ（Ｉｎｔｅｒｎｅｔ  Ｐｒｏｔｏｃｏｌ）ネットワークにて構成されるが、それに限定されるものではない。
【００２０】
図２は、通信システム２０におけるＴＤＭＡフレームの構成を示す。通信システム２０では、第二世代コードレス電話システムと同様、上り通信について４つのタイムスロット、下り通信について４つのタイムスロットによってフレームが構成される。さらにフレームが連続して配置されている。本実施例において、上り通信でのタイムスロットの割当と下り通信でのタイムスロットの割当は同一であるので、以下においては、説明の便宜上、下り通信のみを説明する場合もある。
【００２１】
図３は、通信システム２０におけるＯＦＤＭＡサブチャネルの構成を示す。基地局装置１は、これまで説明したＴＤＭＡに加えて、さらに図３に示すように、ＯＦＤＭＡも適用する。その結果、ひとつのタイムスロットに複数の端末装置が割り当てられる。図３は横軸の方向に時間軸上のタイムスロットの配置を示し、縦軸の方向に周波数軸上のサブチャネルの配置を示す。すなわち、横軸の多重化がＴＤＭＡに相当し、縦軸の多重化がＯＦＤＭＡに相当する。ここでは、ひとつのフレームにおける第１タイムスロット（図中、「Ｔ１」と表示）から第４タイムスロット（図中、「Ｔ４」と表示）が含まれている。例えば、図３のＴ１からＴ４は、図２の第５タイムスロットから第８タイムスロットにそれぞれ相当する。
【００２２】
また、各タイムスロットには、第１サブチャネル（図中、「ＳＣ１」と表示）から第１６サブチャネル（図中、「ＳＣ１６」と表示）が含まれている。図３では、第１サブチャネルが、制御チャネルとして確保される。図中では、第１基地局装置１ａ（図中「ＣＳ１」と表示）が、第１タイムスロットの第１サブチャネルに制御信号を割り当てている。つまり、ＳＣ１だけに着目したときのフレームの構成、および複数のフレームの集合が、ＬＣＣＨに相当する。また、図３では第１タイムスロットの第２サブチャネルに第１端末装置２ａが、第２タイムスロットの第２サブチャネルから第４サブチャネルに第２端末装置２ｂが割り当てられる。また、第３タイムスロットの第１６サブチャネルに第３端末装置２ｃが、第４タイムスロットの第１３サブチャネルから第１５サブチャネルに第４端末装置２ｄが割り当てられる。
【００２３】
図４は、通信システム２０におけるサブチャネルブロックの構成を示す。なお、サブチャネルブロックとは、タイムスロットとサブチャネルにて特定される無線チャネルに相当する。図４の横方向は、時間軸であり、縦方向は、周波数軸を示している。「１」から「２９」の番号は、サブキャリアの番号に相当する。このようにサブチャネルは、ＯＦＤＭのマルチキャリア信号によって構成されている。図中、「ＴＳ」は、トレーニングシンボルに相当し、図示しない同期検出用のシンボル「ＳＴＳ」、伝送路特性の推定用シンボル「ＬＴＳ」等の既知信号を含む。「ＧＳ」は、ガードシンボルに相当し、ここに実効的な信号は配置されない。「ＰＳ」はパイロットシンボルに相当し、既知信号によって構成される。「ＳＳ」はシグナルシンボルに相当し、制御用の信号が配置される。「ＤＳ」はデータシンボルに相当し、送信すべきデータである。「ＧＴ」はガードタイムに相当し、実効的な信号は配置されない。
【００２４】
図５は、通信システム２０における論理制御チャネルの構成を示す。論理制御チャネルは、４つのＢＣＣＨ、１２のＩＲＣＨ、８つのＰＣＨの合計２４のチャネルにより構成される。ＢＣＣＨ、ＩＲＣＨ、ＰＣＨのそれぞれは、８つのＴＤＭＡフレーム（以下、「フレーム」という）で構成される。なお、ひとつのフレームは、図２のように構成される。図５では、便宜上、ＰＣＨ、ＢＣＣＨ、ＩＲＣＨが配置されたフレームも「ＰＣＨ」、「ＢＣＣＨ」、「ＩＲＣＨ」と示される。また、前述のごとく、フレームは複数のタイムスロットに分割されるが、ここでは、タイムスロットの単位、フレームの単位、８フレームの単位のそれぞれに対して区別せずに、「ＰＣＨ」、「ＢＣＣＨ」、「ＩＲＣＨ」という用語を使用する。
【００２５】
図中、「ＩＲＣＨ」はチャネル割当時に用いる初期レンジング用チャネルである。さらに、詳しく説明すると、「ＩＲＣＨ」の中には、「ＴＣＣＨ」と「ＩＲＣＨ」とが含まれており、「ＴＣＣＨ」は、端末装置２から基地局装置１へ送信される初期レンジングの要求に相当する。また、「ＩＲＣＨ」は、当該初期レンジングの要求に対する応答に相当する。そのため、「ＴＣＣＨ」は、上り回線の信号であり、「ＩＲＣＨ」は、下り回線の信号である（以下、ＴＣＣＨとＩＲＣＨとの組合せもＩＲＣＨというが、ＩＲＣＨ単独の場合と区別せずに使用する）。なお、端末装置からのＴＣＣＨを受信した基地局装置は、レンジングの処理を実行するが、レンジングの処理は公知の技術でよいので、ここでは、説明を省略する。
【００２６】
また、図の下段には、各フレームの構成を示しているが、これは図２と同様に示される。なお、これは、図４のＳＣ１に対するフレーム構成に相当する。図１の第１基地局装置１ａは、フレームを構成するタイムスロットのうち、ＬＣＣＨを割り当てたタイムスロット（図中、「ＣＳ１」と表示）で、ＢＣＣＨ、ＩＲＣＨ、ＰＣＨを８フレーム間隔で間欠的に送信する。つまり、第１基地局装置１ａは、ＢＣＣＨを構成する８つのフレームのうち、第１フレームの第５タイムスロットを使用し、ＩＲＣＨを構成する８つのフレームのうち、第１フレームの第５タイムスロットを使用する。
【００２７】
さらに、第１基地局装置１ａは、ＰＣＨを構成する８つのフレームのうち、第１フレームの第５タイムスロットを使用する。図１に示された第２基地局装置１ｂは、第１基地局装置１ａが送信した次のフレーム（図中、第２フレーム）のタイムスロットのうち、第１基地局装置１ａが利用しているタイムスロットとフレーム先頭からの位置が同じタイムスロット（図中、「ＣＳ２」と表示）で、ＢＣＣＨ、ＩＲＣＨ、ＰＣＨを８フレーム間隔で間欠的に送信する。このような構成により、フレームを構成する下り４つのタイムスロットごとに、８つの基地局装置、最大３２基地局装置まで多重することができる。
【００２８】
図６は、基地局装置１の構成を示す。基地局装置１は、アンテナ１００、無線部１０１、送信部１０２、変調部１０３、受信部１０４、復調部１０５、ＩＦ部１０６、制御部１０７を含み、制御部１０７は、レンジング処理部１１０、割当部１１２、測定部１２０、第１選択部１２２、第２選択部１２４、第１特定部１２６、第２特定部１２８、要求部１３０を含む。
【００２９】
アンテナ１００は、無線周波数の信号を送受信する。ここで、無線周波数の信号は、図２から図４に対応する。無線部１０１は、受信処理として、アンテナ１００で受信した無線周波数の信号を周波数変換し、ベースバンド信号を導出し、受信部１０４に出力する。また、無線部１０１は、送信処理として、送信部１０２からのベースバンド信号を周波数変換し、無線周波数の信号を導出し、アンテナ１００に出力する。なお、ベースバンド信号は、一般的に、同相成分と直交成分とによって形成されるので、ふたつの信号線が図示されるべきであるが、図を明瞭にするために、ここでは、ひとつの信号線のみを示すものとする。
【００３０】
送信部１０２は、変調部１０３から送られてきた周波数領域信号を時間領域信号に変換し、無線部１０１に出力する。なお、周波数領域信号から時間領域信号への変換にはＩＦＦＴ（Ｉｎｖｅｒｓｅｄ  Ｆａｓｔ  Ｆｏｕｒｉｅｒ  Ｔｒａｎｓｆｏｒｍ）を利用する。変調部１０３は、ＩＦ部１０６からの入力に対して変調を行い、送信部１０２に出力する。変調方式としては、ＢＰＳＫ（Ｂｉｎａｒｙ  Ｐｈａｓｅ  Ｓｈｉｆｔ  Ｋｅｙｉｎｇ）、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、２５６ＱＡＭなどが使用される。
【００３１】
受信部１０４は、無線部１０１から送られてきた時間領域信号を周波数領域信号に変換し、復調部１０５に出力する。なお、時間領域信号から周波数領域信号への変換にはＦＦＴ（Ｆａｓｔ  Ｆｏｕｒｉｅｒ  Ｔｒａｎｓｆｏｒｍ）を利用する。復調部１０５は、受信部１０４からの入力を復調し、その結果をＩＦ部１０６に出力する。復調は、変調に対応するものとする。ＩＦ部１０６は、図示していないネットワーク５０に接続され、受信処理として、復調部１０５において復調した信号を図示していないネットワーク５０に出力する。また、ＩＦ部１０６は、送信処理として、ネットワーク５０からデータを入力し、これを変調部１０３に出力する。ＩＦ部１０６は、図示しないネットワーク５０を介して図示しない制御局５２から、着信通知を受けつける。ＩＦ部１０６は、受けつけた着信通知を制御部１０７に出力する。
【００３２】
制御部１０７は、基地局装置１全体のタイミングを制御する。また、制御部１０７は、図５に示すＬＣＣＨを生成し、端末装置２に間欠送信する。制御部１０７は、変調部１０３、送信部１０２、無線部１０１、アンテナ１００からＢＣＣＨ等のＬＣＣＨを順次送信する際のタイミングを制御する。制御部１０７は、予め規定されたサブチャネル、つまり制御チャネルに、周期的に制御信号であるＬＣＣＨを割り当てる。つまり、制御部１０７は、時間分割多重がなされた複数のタイムスロットの中から、タイムスロットを周期的に選択し、それらにＬＣＣＨを割り当てる。以下では、その処理を詳細に説明する。
【００３３】
測定部１２０は、各スロットに対する干渉電力を測定する。図５に記載のごとく、８フレームがひとつの単位になっている。また、ひとつのフレームのうち、下り回線のタイムスロットが測定の対象になるので、測定部１２０は、８フレームに含まれた３２のタイムスロットのそれぞれに対する干渉電力を測定する。なお、測定部１２０は、上り回線のタイムスロットも含めて６４のタイムスロットのそれぞれに対する干渉電力を測定してもよい。ここで、測定のための信号は、受信部１０４から受けつけており、干渉電力の測定には、公知の技術が使用される。また、測定は、第１サブチャネルに対してなされる。図７は、測定部１２０における測定結果を示す。図示のごとく、タイムスロット番号欄２００、干渉電力欄２０２が含まれている。タイムスロット番号欄２００には、８フレームに含まれた３２のタイムスロットが示されており、干渉電力欄２０２には、各タイムスロットにおける干渉電力が示されている。図６に戻る。
【００３４】
第１選択部１２２は、図７のように示された干渉電力の測定結果を参照しながら、各干渉電力としきい値とを比較する。また、第１選択部１２２は、しきい値よりも小さい値の干渉電力に対応したタイムスロットをタイムスロットの候補として選択する。ここで、タイムスロットの候補が複数選択されることもある。なお、第１選択部１２２は、しきい値と干渉電力との比較を行わず、複数の干渉電力を互いに比較し、相対的に小さい値の干渉電力に対応したタイムスロットを一定数だけ選択してもよい。最終的に、第１選択部１２２は、タイムスロットの候補を第２選択部１２４へ通知する。
【００３５】
第２選択部１２４は、第１選択部１２２において選択したタイムスロットの候補の中から、干渉電力が相対的に大きい方のタイムスロットに近接したタイムスロットを選択する。まず、第２選択部１２４は、タイムスロットの候補のうちのひとつを抽出し、当該候補の前後のタイムスロットのうち、干渉電力の大きい方を特定する。なお、前後のタイムスロットのうち、いずれかが別のフレームに含まれる場合、第２選択部１２４は残りの方を特定する。第２選択部１２４は、このような特定を他の候補に対しても実行する。また、第２選択部１２４は、特定した干渉電力を比較し、最大の干渉電力に隣接した候補をタイムスロットとして選択する。さらに、第２選択部１２４は、選択したタイムスロットを起点として、８フレーム周期のタイムスロットを周期的に選択する。ここで、第２選択部１２４は、タイムスロットの候補の前後のタイムスロットにおける干渉電力を比較に使用した。つまり、第２選択部１２４は、前後にそれぞれひとつのタイムスロットにおける干渉電力を比較に使用した。しかしながら、前後にそれぞれ複数のタイムスロットにおける干渉電力が比較に使用されてもよい。
【００３６】
制御部１０７は、第２選択部１２４において周期的に選択したタイムスロットに、ＬＣＣＨを配置させる。ここで、制御部１０７は、ＬＣＣＨとして、ＢＣＣＨ、ＩＲＣＨ、ＰＣＨ、ＩＲＣＨ、ＰＣＨ、ＩＲＣＨの順に使用する。制御部１０７は、変調部１０３、送信部１０２、無線部１０１に、割り当てたＬＣＣＨを報知させる。このようにＬＣＣＨが配置された後、制御部１０７は、次のように、ＬＣＣＨを配置させるタイムスロットの切替を実行することもある。
【００３７】
ＬＣＣＨの報知がなされている間においても、測定部１２０は、定期的に、各スロットに対する干渉電力を測定する。第１特定部１２６は、測定部１２０において測定した干渉電力をもとに、複数のタイムスロットの中から、干渉電力が大きい方のタイムスロットに近接したタイムスロットを特定する。ここでは、説明を明瞭にするために、第１特定部１２６は、干渉電力が最大のタイムスロットを特定した後に、当該タイムスロットに隣接したタイムスロットを特定する。その際、第１特定部１２６は、ふたつのタイムスロットを特定してもよい。
【００３８】
第２特定部１２８は、復調部１０５を介して、第１特定部１２６において特定したタイムスロットに配置されたＬＣＣＨを取得する。また、第２特定部１２８は、取得したＬＣＣＨの内容を解析することによって、当該ＬＣＣＨを報知した他の基地局装置１を特定する。さらに、第２特定部１２８は、特定した他の基地局装置１に対する上り回線のタイムスロットを把握し、当該タイムスロットと他の基地局装置１の識別番号等とを要求部１３０に出力する。
【００３９】
要求部１３０は、第２特定部１２８から、特定された他の基地局装置１と、当該他の基地局装置１に割り当てられたタイムスロットに関する情報を受けつける。また、要求部１３０は、受けつけた情報をもとに、他の基地局装置１に対して、ＬＣＣＨの報知のために使用しているタイムスロットの明け渡しの要求信号を生成する。さらに、要求部１３０は、変調部１０３、送信部１０２、無線部１０１を介して、当該他の基地局装置１に割り当てられたタイムスロットにて、要求信号を送信する。要求部１３０は、復調部１０５を介して、当該他の基地局装置１からの応答信号であって、かつ明け渡しに応じる旨の応答信号を受けつけた場合、その旨を第２選択部１２４に通知する。一方、応答信号を受けつけない場合、要求部１３０は、現状のタイムスロットの維持を第２選択部１２４に通知する。
【００４０】
第２選択部１２４は、要求部１３０からの要求に応じてタイムスロットが明け渡された場合、当該タイムスロットを周期的に選択し、ＬＣＣＨを配置する。つまり、第２選択部１２４は、ＬＣＣＨを割り当てるべきタイムスロットを変更する。一方、第２選択部１２４は、タイムスロットが明け渡されなかった場合、現状のタイムスロットを継続して使用する。
【００４１】
レンジング処理部１１０は、ＩＦ部１０６において受けつけた着信通知をもとに、着信信号としてのＰＣＨを生成する。レンジング処理部１１０は、変調部１０３、送信部１０２、無線部１０１、アンテナ１００を介して、ＰＣＨを報知する。図８は、基地局装置１から送信されるＢＣＣＨのメッセージフォーマットを示す。ＢＣＣＨは、メッセージの種別を判別するメッセージ識別子と、論理制御チャネルの構造を規定するパラメータ、例えば、インターバル値、着信群分け、バッテリーセービング周期最大値などを表すＬＣＣＨ構造情報とを含む。図９は、基地局装置１から送信されるＰＣＨのメッセージフォーマットを示す。ＰＣＨは、メッセージの種別を判別するメッセージ識別子と、着信があった端末装置の番号とを含む。また、ＰＣＨには、ＴＣＣＨ  ＩＤが含まれる。端末装置２は、ＰＣＨにより着信があった旨の通知を受理すると、そのＰＣＨを送信した基地局装置１に対して初期レンジングを要求する。図６に戻る。
【００４２】
レンジング処理部１１０は、端末装置２からのＴＣＣＨを受信すると、公知の技術によって、端末装置２の送信電力や送信タイミングを調節する。また、レンジング処理部１１０は、調節の結果が含まれたレンジング応答、例えば、ＩＲＣＨを送信するようなレンジング処理を複数回数繰り返し実行する。このような処理を詳しく説明するために、ここでは、図１０（ａ）−（ｂ）を使用する。図１０（ａ）−（ｂ）は、基地局装置１による段階的な初期レンジングのタイムチャートを示す。ここで、説明の便宜上、フレームに対して前から順に番号を付与しており、フレーム１からフレーム９が「Ｆ１」から「Ｆ９」と示される。また、図面を明瞭にするために、図２に示された各フレームのうち、上り回線と下り回線のそれぞれの最初のタイムスロットのみが示されている。
【００４３】
レンジング処理部１１０は、図３のＳＣ１において、ＴＣＣＨ初回に受信すべきタイミングおよびＩＲＣＨに送信すべきタイミングとを規定する。図１０（ａ）は、ＳＣ１での動作を示す。端末装置２は、図示しないＢＣＣＨを受信することによって、接続先となる基地局装置１を特定する。端末装置２は、Ｆ１においてＴＣＣＨを送信する。なお、端末装置２がＰＣＨを受信することもあるが、その場合、端末装置２は、ＰＣＨを受信した後に、ＢＣＣＨを受信する。
【００４４】
ＴＣＣＨは、波形パターンとして複数種類規定されている。つまり、複数のサブキャリアの中から、一部が選択されることによって波形パターンが規定され、選択されるサブキャリアが変わることによって、複数種類の波形パターンが規定される。そのため、レンジング処理部１１０は、複数の端末装置２から同時にＴＣＣＨを受信する場合であっても、それらの間の波形パターンが異なっていれば、複数の端末装置２を認識できる。つまり、ＴＣＣＨの衝突確率が低減される。ここで、図示しない端末装置２は、複数種類規定された波形パターンのうち、いずれかをランダムに選択する。
【００４５】
図１１は、基地局装置１から送信されるＩＲＣＨのメッセージフォーマットを示す。ＩＲＣＨは、メッセージの種別を判別するメッセージ識別子と、初期レンジング要求を行った送信元を識別するための情報と、送信元の識別情報を初回の初期レンジング要求と異なった値に変更するよう指示する送信元識別情報変更指示と、２回目のＴＣＣＨを送信すべきデータ転送用チャネル（以下、ＴＣＨ）を指定する情報（スロット番号およびサブチャネル番号）とを含む。ここで、ＴＣＨは、図３のＳＣ１以外のサブチャネルに割り当てられる。また、後段では、通信に使用する通信チャネルもＴＣＨと示すが、これらを区別せずに使用する。送信元識別情報は、複数の端末装置２から同時に初期レンジング要求があった場合でも、基地局装置１が送信元識別情報に所定の演算を施すことで、これら複数の端末装置２を識別できるよう、予め規定された値である。図１０（ｂ）に戻る。
【００４６】
レンジング処理部１１０は、端末装置２からのＴＣＣＨを２回目以降に受信すべきタイミングを前回のレンジング応答、例えば、ＩＲＣＨにて規定する。また、レンジング処理部１１０は、各基地局装置１に対してＴＣＨとが適応的に割り当てられる周波数帯、例えば図３のＳＣ３からＳＣ１６において、ＴＣＣＨを２回目以降に受信すべきタイミングおよびレンジング応答を２回目以降に送信すべきタイミングとを規定する。図１０（ｂ）は、ＩＲＣＨによって指定されたサブチャネルでのタイムチャートに相当し、レンジング処理部１１０は、Ｆ３においてＴＣＣＨを受信し、レンジング応答としてＲＣＨを送信する。
【００４７】
図１２は、基地局装置１から送信されるＲＣＨのメッセージフォーマットを示す。ＲＣＨは、メッセージの種別を判別するメッセージ識別子と、同期を合わせるための制御情報（タイミングアライメント制御と送信出力制御）と、無線リソース割当要求の開始時期を示すＳＣＣＨの送受信タイミングとを含む。端末装置２は、タイミングアライメント制御により時間のずれを、送信出力制御により送信電力を補正することにより、基地局装置１と同期を確立した後、無線リソース割当を要求する。図１０（ｂ）に戻る。
【００４８】
図１０（ｂ）に示されたように、ＲＣＨにおいてＦ５およびＦ６でのＳＣＣＨが指定されたとする。図６の割当部１１２は、レンジング処理部１１０におけるレンジング処理の終了後、図示しない端末装置２からのＳＣＣＨを受信すると、当該端末装置２に対して通信チャネルＴＣＨを割り当てる。割当部１１２は、図１０（ｂ）のＦ５において、割当の結果をＳＣＣＨに含めて送信する。このように割当部１１２は、レンジング処理部１１０においてＢＣＣＨ、ＰＣＨ等を配置している周波数帯とは異なった周波数帯にて、ＩＲＣＨを送信した端末装置２に対するチャネル割当の処理を実行する。
【００４９】
図１３は、基地局装置１から送信されるＳＣＣＨのメッセージフォーマットを示す。ＳＣＣＨは、メッセージの種別を判別するメッセージ識別子と、端末装置２に割り当てたＴＣＨを指定する情報（スロット番号およびサブチャネル番号）とを含む。このように、初期レンジング要求を段階的に処理することにし、初回の初期レンジング要求の応答までＬＣＣＨで応答し、それ以降の２回目の初期レンジング要求および無線リソース割当は、ＴＣＨで応答する。これにより、一度に複数の端末装置にチャネル割当を実施することができ、送信元識別情報を多数用意することがなくても、端末装置を的確に分離することができる。図１０（ｂ）に戻る。図１０（ｂ）に示されたように、ＳＣＣＨにおいてＦ８以降のＴＣＨが指定されたとする。無線部１０１、送信部１０２、変調部１０３、受信部１０４、復調部１０５、ＩＦ部１０６は、割当部１１２におけるＴＣＨの割当後、端末装置２と通信する。
【００５０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００５１】
図１４は、端末装置２の構成を示す。端末装置２は、無線部１５０、送信部１５２、変調部１５４、受信部１５６、復調部１５８、ＩＦ部１６０、制御部１６２を含む。制御部１６２は、基地局装置探索部１６４、ハンドオーバ実行部１６６を含む。
【００５２】
ＩＦ部１６０は、マイク、スピーカ、キーボード、ディスプレイによって構成されており、ユーザからの情報を受けつけたり、ユーザへ情報を提示したりする。また、ＩＦ部１６０は、図示しないＰＣと接続されており、ＰＣとの間で情報を送受信してもよい。例えば、音声通話の際には、マイクとスピーカが使用され、データ通信の際には、キーボードとディスプレイが使用される。
【００５３】
無線部１５０、送信部１５２、変調部１５４、受信部１５６、復調部１５８は、無線部１０１、送信部１０２、変調部１０３、受信部１０４、復調部１０５にそれぞれ相当するので、ここでは説明を省略する。なお、無線部１５０等によって、基地局装置１との通信が実現される。その際、前述した基地局装置１での無線リソース割当に対応するような処理が実行される。また、無線部１５０等は、初期状態において、ハンドオーバ元基地局装置との通信を実行する。前述のごとく、ハンドオーバ元基地局装置は、例えば、図１の第１基地局装置１ａに相当する。さらに、無線部１５０等は、制御部１６２からの指示にしたがって、基地局装置１間のハンドオーバも実行する。
【００５４】
制御部１６２は、復調部１５８において復調した信号の品質を測定する。品質の測定には公知の技術が使用されればよいが、例えば、ＢＥＲ（Ｂｉｔ  Ｅｒｒｏｒ  Ｒａｔｅ）、ＥＶＭ（Ｅｒｒｏｒ  Ｖｅｃｔｏｒ  Ｍａｇｎｉｔｕｄｅ）が測定される。また、受信電力が測定されてもよい。制御部１６２は、予めしきい値を規定しており、測定した品質としきい値とを比較することによって、品質の悪化を検出する。制御部１６２は、品質の悪化を検出すると、基地局装置探索部１６４へハンドオーバ先基地局装置の検索を指示する。
【００５５】
基地局装置探索部１６４は、制御部１０７からの指示を受けつけると、ハンドオーバ先基地局装置を検索する。前述のごとく、ハンドオーバ元基地局装置は、干渉電力の大きいタイムスロットに近接したタイムスロットにＬＣＣＨを配置している。つまり、ハンドオーバ元基地局装置が使用しているタイムスロットと、ハンドオーバ先基地局装置が使用しているタイムスロットとは、近接している可能が高い。そのため、基地局装置探索部１６４は、復調部１５８を介して、ハンドオーバ元基地局装置である第１基地局装置１ａのＬＣＣＨが配置されているタイムスロットに近接したタイムスロットを探索する。例えば、基地局装置探索部１６４は、第１基地局装置１ａのＬＣＣＨが配置されているタイムスロットを中心として、前後にそれぞれふたつのタイムスロットを探索する。
【００５６】
また、基地局装置探索部１６４は、そのようなタイムスロットに配置されたＬＣＣＨを受信することによって、受信電力が最大となるＬＣＣＨを特定する。さらに、基地局装置探索部１６４は、特定したＬＣＣＨに対応した基地局装置１をハンドオーバ先基地局装置として選択する。基地局装置探索部１６４は、選択した基地局装置１をハンドオーバ実行部１６６へ通知する。ハンドオーバ実行部１６６は、無線部１５０等に対して、選択した基地局装置１へのハンドオーバの実行を指示する。ハンドオーバは、無線リソース割当と同様に実行されればよいので、ここでは説明を省略する。
【００５７】
以上の構成による通信システム２０の動作を説明する。図１５は、基地局装置１におけるタイムスロットの選択手順を示すフローチャートである。測定部１２０は、干渉電力をタイムスロット単位に測定する（Ｓ１０）。第１選択部１２２は、変数ｉを１に設定する（Ｓ１２）。ｉ番目のタイムスロットでの干渉電力がしきい値よりも小さければ（Ｓ１４のＹ）、第１選択部１２２は、候補として登録する（Ｓ１６）。一方、ｉ番目のタイムスロットでの干渉電力がしきい値よりも小さくなければ（Ｓ１４のＮ）、第１選択部１２２は、ステップ１６をスキップする。ｉが３２でなければ（Ｓ１８のＮ）、ｉに１を加算した後、ステップ１４に戻る。ｉが３２になれば（Ｓ１８のＹ）、第２選択部１２４は、候補の近傍での干渉電力を特定する（Ｓ２０）。第２選択部１２４は、候補のうち、最大の干渉電力に近接したタイムスロットを選択する（Ｓ２２）。
【００５８】
図１６は、基地局装置１におけるタイムスロットの切替手順を示すフローチャートである。測定部１２０は、干渉電力をタイムスロット単位に測定する（Ｓ５０）。第１特定部１２６は、変数ｉを１に設定する（Ｓ５２）。ｉ番目のタイムスロットでの干渉電力がしきい値よりも大きければ（Ｓ５４のＹ）、第１特定部１２６は、このタイムスロットに近接したタイムスロットを登録する（Ｓ５６）。一方、ｉ番目のタイムスロットでの干渉電力がしきい値よりも大きくなければ（Ｓ５４のＮ）、第１特定部１２６は、ステップ５６をスキップする。ｉが３２でなければ（Ｓ５８のＮ）、ｉに１を加算した後、ステップ５４に戻る。ｉが３２になれば（Ｓ５８のＹ）、第２特定部１２８は、登録したタイムスロットに割り当てられた基地局装置１を特定する（Ｓ６０）。要求部１３０は、特定した基地局装置１に明け渡しを要求する（Ｓ６２）。応答があれば（Ｓ６４のＹ）、第２選択部１２４は、タイムスロットを切りかえる（Ｓ６６）。応答がなければ（Ｓ６４のＮ）、現在のタイムスロットが維持されたまま、処理が終了される。
【００５９】
図１７は、通信システム２０におけるＴＣＨ同期確立手順を示すシーケンス図である。基地局装置１は、端末装置２の端末番号を格納し、ページングエリアに属する他の基地局装置と一斉にＰＣＨを送信する（Ｓ１００）。基地局装置１は、予め定められたタイミングにてＢＣＣＨを送信する（Ｓ１０２）。ＰＣＨを受信した端末装置２は、ＰＣＨに自己の端末番号が含まれていると、ＢＣＣＨをもとに基地局装置１を特定した後に、ＴＣＣＨに送信元識別情報を格納し、基地局装置ＣＳ１へ送信して、初回の初期レンジングを要求する（Ｓ１０４）。基地局装置ＣＳ１は、受信したＴＣＣＨより端末装置２の送信元識別情報ＵＩＤを分離し、端末装置２を空いているＴＣＨに割り当てる。
【００６０】
そして、割り当てたＴＣＨのスロット番号とサブチャネル番号をＩＲＣＨに格納して端末装置２へ送信し、２回目の初期レンジングを行うＴＣＨを端末装置２に通知する（Ｓ１０６）。端末装置２は、送信元識別情報をＴＣＣＨに格納し、割り当てられた初期レンジング用のＴＣＨを用いて、基地局装置１へ送信し、２回目の初期レンジングを要求する（Ｓ１０８）。基地局装置１は、端末装置２に割り当てたＴＣＨを用いてレンジング処理を実行し、タイムアライメント制御と送信出力制御とＳＣＣＨの送受信タイミングとをＲＣＨに格納して、端末装置２へ送信し、送信出力などの補正を要求する（Ｓ１１０）。端末装置２は、受信したＲＣＨより基地局装置１から要求された補正値を抽出し、送信出力などを補正する。
【００６１】
次に、割り当てられた初期レンジング用のＴＣＨを用いて基地局装置１に無線リソース割当を要求する（Ｓ１１２）。基地局装置１は、端末装置ＰＳ１からの無線リソース割当要求メッセージにＦＥＣ復号処理などを行ってから、端末装置２に空いているＴＣＨを割り当てる。そして、割り当てたＴＣＨのスロット番号とサブチャネル番号をＳＣＣＨに格納し、端末装置２へ送信する（Ｓ１１４）。ここまでのステップによりＴＣＨの同期が確立するため、これ以降、基地局装置１と端末装置２は同期を確立したＴＣＨを用いて、データを送受信する（Ｓ１１６）。
【００６２】
以下では、変形例を説明する。変形例も、実施例と同様に、基地局装置１がＬＣＣＨを配置すべきタイムスロットとして、当該基地局装置１に近接した他の基地局装置１がＬＣＣＨを配置したタイムスロットの近くのタイムスロットを選択する。実施例においては、基地局装置が受信したＬＣＣＨをもとに、近くのタイムスロットを選択していた。しかしながら、変形例においては、複数の基地局装置１に接続された制御局５２を説明の対象とし、制御局５２が、互いに近くに設置された基地局装置１に対して近くのタイムスロットを割り当てる。変形例に係る通信システム２０は、図１と同様のタイプであり、変形例に係る基地局装置１は、図６と同様のタイプであり、変形例に係る端末装置２は、図１４と同様のタイプである。ここでは、相違する部分を中心に説明する。
【００６３】
図１８は、本発明の変形例に係る制御局５２の構成を示す。制御局５２は、ＩＦ部７０、制御部７２、記憶部７４を含む。また、制御部７２は、受付部７６、割当部７８、指示部８０を含む。
【００６４】
ＩＦ部７０は、図示しないネットワーク５０と接続されており、ネットワーク５０に対応した通信方式にて通信を実行する。また、ＩＦ部７０は、ネットワーク５０を介して、図示しない複数の基地局装置１と接続されている。その結果、ＩＦ部７０は、ネットワーク５０を介して、複数の基地局装置１との間でデータを受信したり、データを送信したりする。なお、前提として、複数の基地局装置１のそれぞれは、所定のタイムスロットにＬＣＣＨを既に配置しているものとする。
【００６５】
受付部７６は、複数の基地局装置１のそれぞれから、各基地局装置１において測定された干渉電力を受けつける。なお、干渉電力は、図７のごとく、タイムスロット単位に測定されている。受付部７６は、受けつけた干渉電力を記憶部７４に出力する。記憶部７４は、受けつけた干渉電力を記憶する。記憶部７４には、基地局装置１ごとに、図７のようなデータが記憶されている。
【００６６】
割当部７８は、記憶部７４に記憶した干渉電力をもとに、近くに設置された基地局装置を推定する。例えば、割当部７８は、第１基地局装置１ａから受けつけた干渉電力のそれぞれとしきい値とを比較し、第２基地局装置１ｂからの干渉電力がしきい値よりも大きかったとする。また、割当部７８は、第２基地局装置１ｂから受けつけた干渉電力のそれぞれとしきい値とを比較し、第１基地局装置１ａからの干渉電力がしきい値よりも大きかったとする。このように、互いの干渉電力がともにしきい値よりも大きい場合に、割当部７８は、これらの基地局装置１が近くに設置されていると推定する。割当部７８は、他の基地局装置１における干渉電力もしきい値と比較することによって、近くに設置された基地局装置１の関係を生成する。
【００６７】
割当部７８は、近くに設置された基地局装置１に対して、近接したタイムスロットを割り当てる。つまり、割当部７８は、近くに設置された基地局装置１が隣接のタイムスロットに近くなるように、タイムスロットの割当を実行する。さらに、割当部７８は、時間分割多重がなされた複数のタイムスロットの中から、周期的なタイムスロットを各基地局装置に対して割り当てる。指示部８０は、ＩＦ部７０を介して、割当部７８において割り当てた結果を各基地局装置１へ通知する。つまり、このような通知によって、指示部８０は、割り当てた周期的なタイムスロットでのＬＣＣＨの報知を各基地局装置１へ指示する。
【００６８】
図１９は、制御局５２によるタイムスロットの割当手順を示すフローチャートである。受付部７６は、各基地局装置１から、タイムスロット単位の干渉電力を受けつける（Ｓ１５０）。割当部７８は、近接した基地局装置１から、グループを形成する（Ｓ１５２）。割当部７８は、グループに含まれた複数の基地局装置１に対して、近接したタイムスロットを割り当てる（Ｓ１５４）。指示部８０は、ＩＦ部７０を介して、割り当てたタイムスロットを各基地局装置１へ通知する（Ｓ１５６）。
【００６９】
本発明の実施例によれば、干渉電力が大きい方のチャネルに近接したチャネルを周期的に選択するので、近傍に設置された他の基地局装置のチャネルに近接したチャネルを選択できる。また、近傍に設置された他の基地局装置は、ハンドオーバ先基地局装置になりうるので、ハンドオーバ先基地局装置のチャネルに近接したチャネルを選択できる。また、ハンドオーバ元基地局装置のチャネルとハンドオーバ先基地局装置のチャネルとを近接して配置できる。また、両方のチャネルが近接しているので、端末装置がハンドオーバ先基地局装置を見つけるまでの期間を短縮できる。また、端末装置がハンドオーバ先基地局装置を見つけるまでの期間が短縮されるので、ハンドオーバ処理の期間を短縮できる。
【００７０】
また、他の基地局装置に対して、チャネルの明け渡しを要求するので、近傍に設置された他の基地局装置のチャネルの近接が既に使用されている場合であっても、そのチャネルを使用できる。また、一旦チャネルを割り当てた後に、チャネルを調節するので、最適なチャネル配置を実現できる。複数の基地局装置の設置を考慮しながら、それらのチャネル割当をまとめて決定するので、近傍に設置された基地局装置に対して、近接したチャネルを割り当てることができる。また、制御局にてチャネルの割当を決定するので、基地局装置の処理を簡易にできる。干渉電力をもとに、近くに設置された基地局装置を推定するので、処理を簡易にできる。また、干渉電力をもとに、近くに設置された基地局装置を推定するので、基地局装置の設置場所が変更された場合でも容易に対応できる。
【００７１】
また、ＢＣＣＨ、ＰＣＨのような周期的な信号を割り当てる周波数帯であって、複数の基地局装置を時分割多重するような周波数帯に、初回のＴＣＣＨおよびＩＲＣＨを配置するので、ＴＣＣＨの衝突および他の基地局装置のＴＣＨとの衝突を回避できる。また、以上の配置によって、初期レンジング用専用サブチャネルを省略できる。また、初期レンジング用専用サブチャネルを省略するので、伝送効率を向上できる。また、複数のレンジング処理を段階的に実行するので、ＴＣＣＨの多重処理に対応できる。また、複数のレンジング処理を段階的に実行するので、複数の端末装置にチャネルを割り当てることができる。また、チャネル割当処理を時分割多重にてスケジューリングするので、複数の端末装置にチャネルを割り当てることができる。
【００７２】
また、チャネル割当処理を時分割多重にてスケジューリングするので、アダプティブアレイ送信を実行できる。また、ＢＣＣＨやＰＣＨといった報知信号の間に初回のＴＣＣＨやＩＲＣＨを配置するので、初回のＴＣＣＨやＩＲＣＨの送受信間隔を短縮できる。また、初回のＴＣＣＨやＩＲＣＨの送受信間隔が短縮されるので、ＰＣＨにて着信を認識してから、通信を介するまでの期間を短縮できる。また、ＰＣＨにて着信を認識してから、通信を介するまでの期間が短縮されるので、着信に対するレスポンス性を向上できる。また、初回のＴＣＣＨやＩＲＣＨの送受信間隔が短縮されるので、チャネル割当の高速化を実現できる。また、ＢＣＣＨ、ＩＲＣＨ、ＰＣＨのそれぞれに対応づけるようにＴＣＣＨを配置するので、端末装置によるＴＣＣＨ送信の機会を増加できる。また、端末装置によるＴＣＣＨ送信の機会が増加されるので、チャネル割当処理の期間を短縮できる。
【００７３】
以上、実施例をもとに本発明を説明した。この実施例は例示であり、それらの各構成要素や各処理プロセスの組合せにいろいろな変形例が可能なこと、またそうした変形例も本発明の範囲にあることは当業者に理解されるところである。
【００７４】
本発明の実施例において、制御局５２は、干渉電力をもとに近くに設置された基地局装置１を推定する。しかしながらこれに限らず例えば、各基地局装置１は、ＧＰＳの測位機能を有しており、制御局５２は、各基地局装置１から位置情報を受けつけ、位置情報をもとに近くに設置された基地局装置１を特定してもよい。本変形例によれば、近接した基地局装置１を正確に特定できる。
【図面の簡単な説明】
【００７５】
【図１】本発明の実施例に係る通信システムの構成を示す図である。
【図２】図１の通信システムにおけるＴＤＭＡフレームの構成を示す図である。
【図３】図１の通信システムにおけるＯＦＤＭＡサブチャネルの構成を示す図である。
【図４】図１の通信システムにおけるサブチャネルブロックの構成を示す図である。
【図５】図１の通信システムにおける論理制御チャネルの構成を示す図である。
【図６】図１の基地局装置の構成を示す図である。
【図７】図６の測定部における測定結果を示す図である。
【図８】図６の基地局装置から送信されるＢＣＣＨのメッセージフォーマットを示す図である。
【図９】図６の基地局装置から送信されるＰＣＨのメッセージフォーマットを示す図である。
【図１０】図１０（ａ）−（ｂ）は、図６の基地局装置による段階的な初期レンジングのタイムチャートを示す図である。
【図１１】図６の基地局装置から送信されるＩＲＣＨのメッセージフォーマットを示す図である。
【図１２】図６の基地局装置から送信されるＲＣＨのメッセージフォーマットを示す図である。
【図１３】図６の基地局装置から送信されるＳＣＣＨのメッセージフォーマットを示す図である。
【図１４】図１の端末装置の構成を示す図である。
【図１５】図６の基地局装置におけるタイムスロットの選択手順を示すフローチャートである。
【図１６】図６の基地局装置におけるタイムスロットの切替手順を示すフローチャートである。
【図１７】図１の通信システムにおけるＴＣＨ同期確立手順を示すシーケンス図である。
【図１８】本発明の変形例に係る制御局の構成を示す図である。
【図１９】図１８の制御局によるタイムスロットの割当手順を示すフローチャートである。
【符号の説明】
【００７６】
１  基地局装置、  ２  端末装置、  ２０  通信システム、  ５０  ネットワーク、  ５２  制御局、  １００  アンテナ、  １０１  無線部、  １０２  送信部、  １０３  変調部、  １０４  受信部、  １０５  復調部、  １０６  ＩＦ部、  １０７  制御部、  １１０  レンジング処理部、  １１２  割当部、  １２０  測定部、  １２２  第１選択部、  １２４  第２選択部、  １２６  第１特定部、  １２８  第２特定部、  １３０  要求部、  １５０  無線部、  １５２  送信部、  １５４  変調部、  １５６  受信部、  １５８  復調部、  １６０  ＩＦ部、  １６２  制御部、  １６４  基地局装置探索部、  １６６  ハンドオーバ実行部。
【図１】
2009188550.tif 000003
【図２】
2009188550.tif 000004
【図３】
2009188550.tif 000005
【図４】
2009188550.tif 000006
【図５】
2009188550.tif 000007
【図６】
2009188550.tif 000008
【図７】
2009188550.tif 000009
【図８】
2009188550.tif 000010
【図９】
2009188550.tif 000011
【図１０】
2009188550.tif 000012
【図１１】
2009188550.tif 000013
【図１２】
2009188550.tif 000014
【図１３】
2009188550.tif 000015
【図１４】
2009188550.tif 000016
【図１５】
2009188550.tif 000017
【図１６】
2009188550.tif 000018
【図１７】
2009188550.tif 000019
【図１８】
2009188550.tif 000020
【図１９】
2009188550.tif 000021